(57)【要約】【課題】パネル本体の取り付けの手間を増やすことなく、１つの洗面台により複数の材質のパネルに対応することができる洗面化粧台を提供することを目的とする。【解決手段】壁面に沿って設置される洗面化粧台であって、下方に向かって凹んだ凹状の洗面ボウル部と、洗面ボウル部の後端部に立設されたバックガードと、を有する洗面台と、洗面台の上部に設けられ、固定される位置にある状態で、バックガードの壁面側にオーバーラップするように下方にむけて突出する差込部を有するパネル本体と、を備え、バックガードは、固定される位置にある状態で、バックガードの後端部と壁面との間に差込部が差し込み可能な隙間が形成されるように前方に向かって凹んだ凹状の切り欠き部を有し、切り欠き部は、バックガードの後端部と壁面との間の隙間の距離が異なる複数の段部を有する。【選択図】図２
2018198736.tif 000002
【特許請求の範囲】
【請求項１】
壁面に沿って設置される洗面化粧台であって、
下方に向かって凹んだ凹状の洗面ボウル部と、該洗面ボウル部の後端部に立設されたバックガードと、を有する洗面台と、
上記洗面台の上部に設けられ、固定される位置にある状態で、上記バックガードの壁面側にオーバーラップするように下方にむけて突出する差込部を有するパネル本体と、を備え、
上記バックガードは、固定される位置にある状態で、上記バックガードの後端部と上記壁面との間に上記差込部が差し込み可能な隙間が形成されるように前方に向かって凹んだ凹状の切り欠き部を有し、
上記切り欠き部は、上記バックガードの後端部と上記壁面との間の隙間の距離が異なる複数の段部を有することを特徴とする洗面化粧台。
【請求項２】
上記切り欠き部は、上記バックガードの左右方向における一方の端部側且つ後方側に向かうにつれて上記距離が短くなる第１の多段形状部と、上記バックガードの左右方向における一方の端部側且つ後方側に向かうにつれて上記距離が短くなる第２の多段形状部と、を有することを特徴とする請求項１に記載の洗面化粧台。
【請求項３】
上記切り欠き部は、複数設けられており、
複数の上記切り欠き部の少なくとも一部が、上記第１の多段形状部と、上記第２の多段形状部と、有することを特徴とする請求項２に記載の洗面化粧台。
【請求項４】
上面視において、上記段部は、上記バックガードが固定される位置にある状態で上記壁面と平行となるように形成される平行部と、該平行部と連続的に形成され且つ前後方向において上記平行部とは重ならないように後方に向かって傾斜する傾斜部と、を有することを特徴とする請求項１乃至３のいずれか１項に記載の洗面化粧台。
【発明の詳細な説明】
【技術分野】
【０００１】
本発明の態様は、一般的に、洗面化粧台に関する。
【背景技術】
【０００２】
従来から、上面に洗面ボウルとバックガードとを有する洗面台（キャビネット本体）と、その上に配置されるパネル本体（パネル部材）およびミラーキャビネットと、を有する洗面化粧台が知られている（例えば、特許文献１）。特許文献１に示す洗面化粧台では、まず洗面台を壁面に接して配置する。その後、洗面台の後方壁面に取付金具を固定し、この取付金具を用いてパネル本体とミラーキャビネットを洗面台の上部に配置している。すなわち、パネル本体の位置決めのためには、まず取付金具を固定する必要があり、そのあと取付金具に対してパネル本体を設置位置に取り付けることになる。
そこで、これらの取り付け構造をより簡単にするために、パネルが固定される位置にある状態で、洗面台の壁面側にオーバーラップするように下方にむけて突出する差込部をパネル本体に形成するとともに、固定される位置にある状態で、バックガードの後端部と壁面との間に差込部が差し込み可能な隙間が形成されるように前方に向かって凹んだ凹状の切り欠き部を洗面台に形成することが考えられる。このように構成することで、洗面台を壁面に沿って配置したあと、この洗面台の切り欠きと壁面との間の隙間にパネル本体の差込部を差し込むことで、洗面台に対するパネル本体の位置決めを簡単に行うことができる。すなわち、取付金具を洗面台の後方壁面に固定することなく、パネル本体の位置決めを行うことができるため、パネル本体の差込部を差し込んだあとは、ネジ等によりパネル本体を固定するだけでよい。よって、パネル本体の取り付け構造をより簡単に行うことができる。
【先行技術文献】
【特許文献】
【０００３】
【特許文献１】特開平１０−７５９０７号公報
【発明の概要】
【発明が解決しようとする課題】
【０００４】
従来、一般的にはパネル本体の材質として樹脂を用いていたが、近年、洗面台の扉や洗面化粧台が設置される空間の壁面との関係に合わせてパネル本体およびミラーキャビネットについても意匠選択を行いたいという要望がある。また、利便性向上のために、樹脂だけでなく、例えば鋼板のパネル本体の品揃えが欲しいという要望がある。このような要望に対応すべく、材質の異なる数種類のパネル本体を品揃えしようとすると、それぞれの材質ごとで強度や得意な加工などが異なるため、上述した位置決め構造を行うためには、それぞれの材質のパネル本体ごとに洗面台を準備する必要がある。具体的には、材質が異なることで差込部の適した厚みが異なるため、差込部の厚みに応じた洗面台が必要となる。このように、それぞれの材質のパネル本体ごとに洗面台を準備するとなると、例えばリフォーム等をきっかけに、洗面化粧台の設置後に使用者がパネル本体の材質の変更を希望した場合、パネル本体だけでなく、洗面台まで交換する必要がある。さらに、洗面台の種類が増えるため、在庫確保用の保管スペースを広くとることが必要となってしまうという問題がある。
また、このような問題を解決するために、１つの洗面台により複数の材質のパネル本体に対応するための手段として、パネル本体の差込部の厚みを材質によらず統一するために、別パーツを用いるという方法が考えられる。しかしながら、このような方法の場合、別パーツをパネル部材に取り付ける工程が増えるため、パネル本体の取り付けの手間がかかるという問題がある。
【０００５】
本発明は、かかる課題の認識に基づいてなされたものであり、パネル本体の取り付けの手間を増やすことなく、１つの洗面台により複数の材質のパネルに対応することができる洗面化粧台を提供することを目的とする。
【課題を解決するための手段】
【０００６】
上述した目的を達成するために、本発明は、壁面に沿って設置される洗面化粧台であって、下方に向かって凹んだ凹状の洗面ボウル部と、洗面ボウル部の後端部に立設されたバックガードと、を有する洗面台と、洗面台の上部に設けられ、固定される位置にある状態で、バックガードの壁面側にオーバーラップするように下方にむけて突出する差込部を有するパネル本体と、を備え、バックガードは、固定される位置にある状態で、バックガードの後端部と壁面との間に差込部が差し込み可能な隙間が形成されるように前方に向かって凹んだ凹状の切り欠き部を有し、切り欠き部は、バックガードの後端部と壁面との間の隙間の距離が異なる複数の段部を有する。
【０００７】
このように構成された本発明においては、切り欠き部は、バックガードの後端部と壁面との間の隙間の距離が異なる複数の段部を有するため、異なる材質のパネル本体を備える場合であっても、材質ごとに洗面台を準備する必要がない。すなわち、予め数種類の材質に備えて、切り欠き部の段部を複数形成しておくことにより、例えば、パネルの差込部の厚みが比較的に厚くなる材質の場合には、切り欠き部の段部のうちバッグガードと壁面との隙間が比較的に大きい段部に差込部を差し込むことでパネルの位置決めを行うことができる。一方、パネルの差込部の厚みが比較的に薄くなる材質の場合には、切り欠き部の段部のうちバッグガードと壁面との隙間が比較的に小さい段部に差込部を差し込むことでパネルの位置決めを行うことができる。よって、パネル本体の取り付けの手間を増やすことなく、１つの洗面台により複数の材質のパネルに対応することができる。
【０００８】
本発明において、好ましくは、切り欠き部は、バックガードの左右方向における一方の端部側且つ後方側に向かうにつれて距離が短くなる第１の多段形状部と、バックガードの左右方向における一方の端部側且つ後方側に向かうにつれて距離が短くなる第２の多段形状部と、を有する。
【０００９】
このように構成された本発明においては、切り欠き部は、バックガードの左右方向における一方の端部側且つ後方側に向かうにつれて距離が短くなる第１の多段形状部と、バックガードの左右方向における一方の端部側且つ後方側に向かうにつれて距離が短くなる第２の多段形状部と、を有するため、パネル本体の差込部は、左右方向における第１の多段形状部と第２の多段形状部との間に配置することができる。そのため、パネル本体の前後方向の位置決めだけでなく、パネル本体の左右方向の位置決めも行うことができる。よって、パネル本体の取り付けの手間をさらに軽減しながらも、１つの洗面台により複数の材質のパネルに対応することができる。
【００１０】
本発明において、好ましくは、切り欠き部は、複数設けられており、複数の切り欠き部の少なくとも一部が、第１の多段形状部と、第２の多段形状部と、有する。
【００１１】
このように構成された本発明においては、切り欠き部は、複数設けられており、複数の切り欠き部の少なくとも一部が、第１の多段形状部と、第２の多段形状部と、有するため、複数の切り欠きを設けた場合であっても、パネル本体の取り付けの手間をさらに軽減しながらも、１つの洗面台により複数の材質のパネルに対応することができる。
【００１２】
本発明において、好ましくは、上面視において、段部は、バックガードが固定される位置にある状態で壁面と平行となるように形成される平行部と、平行部と連続的に形成され且つ前後方向において平行部とは重ならないように後方に向かって傾斜する傾斜部と、を有する。
【００１３】
このように構成された本発明においては、上面視において、段部は、バックガードが固定される位置にある状態で壁面と平行となるように形成される平行部と、平行部と連続的に形成され且つ前後方向において平行部とは重ならないように後方に向かって傾斜する傾斜部と、を有するため、パネル本体の差込部をバックガード（切り欠き部）と壁面との隙間に挿入する際に、傾斜部に沿って差込部を誘導することができるため、傾斜部を設けていない場合に比べて、簡単に差込部を所定の位置に誘導することができるとともに、左右方向におけるパネル本体の位置決めを行うことができる。
【発明の効果】
【００１４】
本発明の洗面化粧台によれば、パネル本体の取り付けの手間を増やすことなく、１つの洗面台により複数の材質のパネルに対応することができる。
【図面の簡単な説明】
【００１５】
【図１】本発明の第１実施形態による洗面化粧台を示す全体斜視図である。
【図２】本発明の第１実施形態による洗面化粧台を示す分解斜視図である。
【図３】本発明の第１実施形態による洗面化粧台の洗面台を示す上面図である。
【図４】図３の点線Ａ内の領域を拡大した拡大図である。
【図５】本発明の第１実施形態による洗面化粧台の段部および差込部を示す後方斜め上方から視た部分斜視図である。
【図６】本発明の第１実施形態による洗面化粧台のパネル本体を示す正面図である。
【図７】本発明の第１実施形態による洗面化粧台の部分断面図である。
【図８】本発明の第１実施形態による洗面化粧台のパネルの取り付け方法を示す前方斜め上方から視た部分斜視図である。
【図９】本発明の第１実施形態による洗面化粧台のパネル本体とは材質の異なるパネル本体を示す正面図である。
【図１０】図９に示すパネル本体を用いた洗面化粧台の部分断面図である。
【図１１】図９に示すパネルの取り付け方法を示す前方斜め上方から視た部分斜視図である。
【図１２】本発明の第１実施形態による洗面化粧台のパネル本体とは材質の異なるパネル本体を示す正面図である。
【図１３】図１２に示すパネル本体を用いた洗面化粧台の部分断面図である。
【図１４】図１２に示すパネルの取り付け方法を示す前方斜め上方から視た部分斜視図である。
【図１５】本発明の第２実施形態による洗面化粧台の洗面台を示す上面図である。
【図１６】図１５の点線Ｂ内の領域を拡大した拡大図である。
【発明を実施するための形態】
【００１６】
以下、本発明の実施の形態について図面を参照しつつ説明する。なお、各図面中、同様の構成要素には同一の符号を付して詳細な説明は適宜省略する。
【００１７】
図１は、本発明の第１実施形態による洗面化粧台を示す全体斜視図である。
図２は、本発明の第１実施形態による洗面化粧台を示す分解斜視図である。
図３は、本発明の第１実施形態による洗面化粧台の洗面台を示す上面図である。
図４は、図３の点線Ａ内の領域を拡大した拡大図である。
図５は、本発明の第１実施形態による洗面化粧台の段部および差込部を示す後方斜め上方から視た部分斜視図である。
【００１８】
図１及び図２に示すように、本実施形態の洗面化粧台１は、洗面台１０と、パネル本体３０と、ミラーキャビネット４０と、を備える。洗面化粧台１は、図示しない壁面に沿って設置される。ここで、本願明細書においては、ミラーキャビネット４０を向いて洗面化粧台１の前に立つ使用者からみて上方を「上方」とし、下方を「下方」とし、右側を「右側方」とし、左側を「左側方」とし、手前側を「前方」とし、奥側を「後方」とする。
【００１９】
洗面台１０は、例えば床面に設置されるキャビネット部１１と、下方に向かって凹んだ凹状の洗面ボウル部１３と、ボウル部２０１の後端部に立設されたバックガード１５と、を有する。ボウル部２０１とバックガード２０３とについては、一体成形するのが好ましいが、別々に成形したものを接続してもよい。
【００２０】
図３乃至図５に示すように、バックガード１５は、切り欠き部２０を有する。切り欠き部２０は、バックガード１５（洗面台１０）が壁面に沿って設置された状態、言い換えるとバックガード１５が固定される位置にある状態で、バックガード１５の後端部と壁面との間に、後述するパネル本体３０の差込部が差し込み可能な隙間が形成されるように前方に向かって凹んだ凹状に形成されている。
【００２１】
切り欠き部２０は、第１の段部２１と、第２の段部２２と、第３の段部２３を有している。第１の段部２１、第２の段部２２、および第３の段部２３は、互いにバックガード１５の後端部と壁面との間の隙間の距離が異なっている。第１の段部２１におけるバックガード１５の後端部と壁面との間の隙間の距離ａ、第２の段部２２におけるバックガード１５の後端部と壁面との間の隙間の距離ｂ、第３の段部２３におけるバックガード１５の後端部と壁面との間の隙間の距離ｃの順に、バックガード１５の後端部と壁面との間の隙間の距離が長くなっている。すなわち、バックガードの左右方向における一方の端部側（右側方）且つ後方側に向かうにつれてバックガード１５の後端部と壁面との間の隙間の距離が短くなっている。
【００２２】
図４及び図５に示すように、第１の段部２１は、上面視において、バックガード１５が固定される位置にある状態で、壁面と平行となるように形成される平行部２１ａと、平行部２１ａと連続的に形成され且つ前後方向において平行部２１ａとは重ならないように後方に向かって傾斜する傾斜部２１ｂと、を有する。第２の段部２２も第１の段部２１と同様に、平行部２２ａと、傾斜部２２ｂを有し、第３の段部２３も第１の段部２１及び第２の段部２２と同様に、平行部２３ａと、傾斜部２３ｂと、を有する。第２の段部２２の傾斜部２２ａは、平行部２２ｂと連続していない方の端部が第１の段部２１の平行部２１ｂと連続している。また、第３の段部の傾斜部２３ａは、平行部２３ｂと連続していない方の端部が第２の段部２２の平行部２２ｂと連続している。なお、傾斜部２１ｂ、２２ｂ、２３ｂは、直線形状ではなく、湾曲形状であってもよい。
【００２３】
さらに、切り欠き部２０は、図４及び図５に示す洗面台１０の右側方だけでなく、左側方にも同様に第１の段部２１、第２の段部２２、および第３の段部２３を有している。洗面台１０の右側方に形成された複数の段部との相違点は、洗面台１０の左側方に形成された複数の段部２１、２２、２３は、バックガードの左右方向における一方の端部側（左側方）且つ後方側に向かうにつれてバックガード１５の後端部と壁面との間の隙間の距離が短くなっている点である。すなわち、切り欠き部２０は、洗面台１０の右側方に設けられた第１の段部２１、第２の段部２２、および第３の段部２３で構成される第１の多段形状部２７と、洗面台１０の左側方に設けられた第１の段部２１、第２の段部２２、および第３の段部２３で構成される第１の多段形状部２９と、を有する。
【００２４】
図６は、本発明の第１実施形態による洗面化粧台のパネル本体を示す正面図である。
図７は、本発明の第１実施形態による洗面化粧台の部分断面図である。
【００２５】
図６及び図７に示すように、パネル本体３０は、洗面台１０の上部に設けられ、差込部３３と、パネル部３５と、を有する。パネル本体３０は、鋼板である。
差込部３３は、パネル部３５の下端部に形成されており、パネル本体３０が固定される位置にある状態で、バックガード１５の壁面Ｗ側にオーバーラップするように下方にむけて突出するように形成されている。また、差込部３３は、左右方向の延びた１つ突出形状となっている。
パネル部３５は、上方部且つ左右端部のそれぞれにパネル本体３０を壁面に固定するためのネジを挿入可能なネジ孔３５を２つ有している。
【００２６】
ミラーキャビネット４０は、パネル本体３０の上部に設けられる。ミラーキャビネット４０は、例えば、パネル本体３０を壁面に取り付けた後に、壁面に固定される。なお、ミラーキャビネット４０は、パネル本体３０と一体的に構成されていてもよい。
【００２７】
図７及び図８を用いて、洗面化粧台１のパネル本体３０の取り付け方法について、説明する。
図８は、本発明の第１実施形態による洗面化粧台のパネルの取り付け方法を示す前方斜め上方から視た部分斜視図である。ここで、図８の２点鎖線は、差込部３３を挿入する際の差込部３３を示している。
【００２８】
まず、洗面台１０を壁面Ｗに沿って床面等に設置した後に、パネル本体３０の差込部３３をバックガード１５と壁面Ｗとの隙間に挿入することで、パネル本体３０の左右方向における位置決め及び前後方向における位置決めを行う。具体的には、図７及び図８に示すように、差込部３３を第１の段部２１に差し込む。このとき、差込部３３は、第１の段部２１の平行部２１ａの後方側（壁面側）且つ第１の段部２１の傾斜部２１ｂの中央側に位置するため、パネル本体３０の左右方向における位置決め及び前後方向における位置決めを簡単に行うことができる。その後、パネル本体３０のネジ孔３５を介して、パネル本体３０を壁面Ｗに固定する。このようにして、パネル本体３０が壁面Ｗに取り付けられる。
【００２９】
次に、図９乃至図１１を参照して、パネル本体３０とは別の材質のパネル本体３０Ａを用いた洗面化粧台１Ａについて説明する。
図９は、本発明の第１実施形態による洗面化粧台のパネル本体とは材質の異なるパネル本体を示す正面図である。
図１０は、図９に示すパネル本体を用いた洗面化粧台の部分断面図である。
なお、洗面台１０は上述したものと同一であるため、説明を省略する。
【００３０】
図９及び図１０に示すように、パネル本体３０Ａは、洗面台１０の上部に設けられ、差込部３３Ａと、パネル部３５Ａと、を有する。パネル本体３０Ａは、樹脂である。
差込部３３Ａは、パネル部３５Ａの下端部に形成されており、パネル本体３０Ａが固定される位置にある状態で、バックガード１５の壁面Ｗ側にオーバーラップするように下方にむけて突出するように形成されている。また、差込部３３Ａは、左右方向の延びた突出形状であり、パネル部３１Ａの下端部の左右それぞれに１つずつ形成されている。
パネル部３５Ａは、上方部且つ左右端部のそれぞれにパネル本体３０を壁面に固定するためのネジを挿入可能なネジ孔３５Ａを２つ有している。
なお、パネル本体３０Ａは、ミラーキャビネット４０と一体的に構成されていてもよい。
【００３１】
図１０及び図１１を用いて、洗面化粧台１Ａのパネル本体３０Ａの取り付け方法について、説明する。
図１１は、図９に示すパネルの取り付け方法を示す前方斜め上方から視た部分斜視図である。ここで、図１１の２点鎖線は、差込部３３Ａを挿入する際の差込部３３Ａを示している。
【００３２】
まず、洗面台１０を壁面Ｗに沿って床面等に設置した後に、パネル本体３０Ａの差込部３３Ａをバックガード１５と壁面Ｗとの隙間に挿入する。左側方側の差込部３３Ａも同様である。これにより、パネル本体３０の左右方向における位置決め及び前後方向における位置決めを行う。具体的には、図１０及び図１１に示すように、差込部３３Ａを第２の段部２２に差し込む。このとき、差込部３３Ａは、第２の段部２２の平行部２２ａの後方側（壁面側）且つ第２の段部２２の傾斜部２２ｂの中央側に位置するため、パネル本体３０Ａの左右方向における位置決め及び前後方向における位置決めを簡単に行うことができる。その後、パネル本体３０Ａのネジ孔３５Ａを介して、パネル本体３０Ａを壁面Ｗに固定する。このようにして、パネル本体３０Ａが壁面Ｗに取り付けられる。
【００３３】
次に、図１２乃至図１４を参照して、パネル本体３０およびパネル本体３１とは別の材質のパネル本体３０Ｂを用いた洗面化粧台１Ｂについて説明する。
図１２は、本発明の第１実施形態による洗面化粧台のパネル本体とは材質の異なるパネル本体を示す正面図である。
図１３は、図１２に示すパネル本体を用いた洗面化粧台の部分断面図である。
なお、洗面台１０は上述したものと同一であるため、説明を省略する。
【００３４】
図１２及び図１３に示すように、パネル本体３０Ｂは、洗面台１０の上部に設けられ、差込部３３Ｂと、パネル部３５Ｂと、を有する。パネル本体３０Ｂは、木材である。
差込部３３Ｂは、円筒形状に形成されており、パネル部３５Ｂの下端部に形成された挿入孔３２Ｂに差し込まれ固定されることで、パネル部３５Ｂの下端から突出するように構成されている。差込部３２Ｂは、パネル本体３０Ｂが固定される位置にある状態で、バックガード１５の壁面Ｗ側にオーバーラップするように下方にむけて突出するように形成されている。また、差込部３３Ｂは、左右方向の延びた突出形状であり、パネル部３１Ｂの下端部の左右それぞれに１つずつ形成されている。
パネル部３５Ｂは、上方部且つ左右端部のそれぞれにパネル本体３０を壁面に固定するためのネジを挿入可能なネジ孔３５Ｂを２つ有している。
なお、パネル本体３０Ｂは、ミラーキャビネット４０と一体的に構成されていてもよい。
【００３５】
図１０及び図１１を用いて、洗面化粧台１Ｂのパネル本体３０Ｂの取り付け方法について、説明する。
図１４は、図１２に示すパネルの取り付け方法を示す前方斜め上方から視た部分斜視図である。
ある。ここで、図１４の２点鎖線は、差込部３３Ｂを挿入する際の差込部３３Ｂを示している。
【００３６】
まず、洗面台１０を壁面Ｗに沿って床面等に設置した後に、パネル本体３０Ｂの差込部３３Ｂをバックガード１５と壁面Ｗとの隙間に挿入する。左側方側の差込部３３Ｂも同様である。これにより、パネル本体３０の左右方向における位置決め及び前後方向における位置決めを行う。具体的には、図１３及び図１４に示すように、差込部３３Ｂを第３の段部２３に差し込む。このとき、差込部３３Ｂは、第３の段部２３の平行部２３ａの後方側（壁面側）且つ第３の段部２３の傾斜部２３ｂの中央側に位置するため、パネル本体３０Ｂの左右方向における位置決め及び前後方向における位置決めを簡単に行うことができる。その後、パネル本体３０Ｂのネジ孔３５Ｂを介して、パネル本体３０Ｂを壁面Ｗに固定する。このようにして、パネル本体３０Ｂが壁面Ｗに取り付けられる。
【００３７】
次に、上述した本実施形態による洗面化粧台１、１Ａ、１Ｂによる作用効果を説明する。
本実施形態による洗面化粧台１、１Ａ、１Ｂによれば、このように構成された本発明においては、切り欠き部２０は、バックガード１５の後端部と壁面Ｗとの間の隙間の距離が異なる複数の段部２１、２２、２３を有するため、異なる材質のパネル本体３０、３０Ａ，３０Ｂを備える場合であっても、材質ごとに洗面台を準備する必要がない。すなわち、予め数種類の材質（本実施形態では、３種類）に備えて、切り欠き部２０の段部を複数形成しておくことにより、例えば、パネル本体の差込部の厚みが比較的に厚くなる材質の場合には、切り欠き部の段部のうちバッグガードと壁面との隙間が比較的に大きい段部に差込部を差し込むことでパネルの位置決めを行うことができる。一方、パネル本体の差込部の厚みが比較的に薄くなる材質の場合には、切り欠き部の段部のうちバッグガードと壁面との隙間が比較的に小さい段部に差込部を差し込むことでパネル本体の位置決めを行うことができる。よって、パネル本体３０、３０Ａ、３０Ｂの取り付けの手間を増やすことなく、１つの洗面台１０により複数の材質のパネル本体３０、３０Ａ、３０Ｂに対応することができる。
【００３８】
また、本実施形態による洗面化粧台１、１Ａ、１Ｂによれば、切り欠き部２０は、バックガード１５の左右方向における一方の端部側且つ後方側に向かうにつれて距離が短くなる第１の多段形状部（洗面台１０の左側方あるいは右側方に設けられた第１の段部２１、第２の２２、第３の２３）と、左右方向における他方の端部側且つ後方側に向かうにつれて距離が短くなる第２の多段形状部（洗面台１０の右側方あるいは左側方に設けられた第１の段部２１、第２の２２、第３の２３）と、を有するため、パネル本体３０、３０Ａ、３０Ｂの差込部３３、３３Ａ、３３Ｂは、左右方向における第１の多段形状部と第２の多段形状部との間に配置することができる。そのため、パネル本体３０、３０Ａ、３０Ｂの前後方向の位置決めだけでなく、パネル本体３０、３０Ａ、３０Ｂの左右方向の位置決めも行うことができる。よって、パネル本体３０、３０Ａ、３０Ｂの取り付けの手間をさらに軽減しながらも、１つの洗面台により複数の材質のパネルに対応することができる。
【００３９】
ここで、傾斜部２１ｂ、２２ｂ、２３ｂを設けずに差込部３３、３３Ａ、３３Ｂを所定の位置に誘導しやすいようにしようとすると、切り欠き部２０の左右方向における幅を広く取る必要がある。しかし、そのような構成にすると、パネル本体３０、３０Ａ、３０Ｂが左右方向に位置ずれしやすくなってしまい、左右方向の位置決めが難しくなる。それに対し、本実施形態による洗面化粧台１、１Ａ、１Ｂによれば、上面視において、段部２１、２２、２３、は、バックガード１５が固定される位置にある状態で壁面Ｗと平行となるように形成される平行部２１ａ、２２ａ、２３ａと、平行部と連続的に形成され且つ前後方向において平行部とは重ならないように後方に向かって傾斜する傾斜部２１ｂ、２２ｂ、２３ｂと、を有するため、パネル本体３０、３０Ａ、３０Ｂの差込部３３、３３Ａ、３３Ｂをバックガード１５（切り欠き部２０）と壁面Ｗとの隙間に挿入する際に、傾斜部２１ｂ、２２ｂ、２３ｂに沿って差込部３３、３３Ａ、３３Ｂを誘導することができるため、傾斜部２１ｂ、２２ｂ、２３ｂを設けていない場合に比べて、簡単に差込部３３、３３Ａ、３３Ｂを所定の位置に誘導することができるとともに、左右方向におけるパネル本体３０、３０Ａ、３０Ｂの位置決めを行うことができる。
なお、パネル本体は、鋼板、樹脂、木材以外の材質を用いてもよい。
【００４０】
次に、図１５を参照して、本発明の第２実施形態による洗面台について説明する。
図１５は、本発明の第２実施形態による洗面化粧台の洗面台を示す上面図である。
本実施形態のトイレ装置は、洗面台の切り欠き部を複数有している点が上述した第１実施形態の洗面台とは異なる。ここでは、本発明の第２実施形態の第１実施形態とは異なる点のみを説明し、同様な部分については図面に同じ参照符号を付して説明を省略する。
図１６は、図１５の点線Ｂ内の領域を拡大した拡大図である。
【００４１】
図１５に示すように、バックガード１５は、右側方側に形成された切り欠き部２０Ａと、左側方側に形成された２０Ａ′と、を有する。切り欠き部２０Ａは、バックガード１５（洗面台１０）が壁面に沿って設置された状態、言い換えるとバックガード１５が固定される位置にある状態で、バックガード１５の後端部と壁面との間に、パネル本体の差込部が差し込み可能な隙間が形成されるように前方に向かって凹んだ凹状に形成されている。
【００４２】
切り欠き部２０Ａは、第１の段部２１Ａと、第２の段部２２Ａと、第３の段部２３Ａ、第４の段部２４Ａと、第５の段部２５Ａと、第６の段部２６Ａを有している。第１の段部２１Ａと第６の段部２６Ａ、第２の段部２３Ａと第５の段部２５Ａ、第３の段部２３Ａと第４の段部２４Ａは、それぞれバックガード１５の後端部と壁面との間の隙間の距離が等しくなるように形成されている。また、第１の段部２１Ａ（第６の段部２６Ａ）、第２の段部２３Ａ（第５の段部２５Ａ）、第３の段部２３Ａ（第４の段部２４Ａ）は、互いにバックガード１５の後端部と壁面との間の隙間の距離が異なっている。第１の段部２１（第６の段部２６Ａ）におけるバックガード１５の後端部と壁面との間の隙間の距離、第２の段部２３（第５の段部２５Ａ）におけるバックガード１５の後端部と壁面との間の隙間の距離、第３の段部２５（第４の段部２４Ａ）におけるバックガード１５の後端部と壁面との間の隙間の距離の順に、バックガード１５の後端部と壁面との間の隙間の距離が長くなっている。第１の段部２１Ａ、第２の段部２３Ａ、及び第３の段部２３Ａは、バックガード１５の左右方向における一方の端部側（右側方）且つ後方側に向かうにつれてバックガード１５の後端部と壁面との間の隙間の距離が短くなっている。第４の段部２４Ａ、第５の段部２５Ａ、及び第６の段部２６Ａは、バックガード１５の左右方向における一方の端部側（左側方）且つ後方側に向かうにつれてバックガード１５の後端部と壁面との間の隙間の距離が短くなっている。すなわち、切り欠き部２０Ａは、第１の段部２１Ａ、第２の段部２２Ａ、および第３の段部２５で構成される第１の多段形状部と、第４の段部２４Ａ、第５の段部２５Ａ、及び第６の段部２６で構成される第２の多段形状部と、を有し、互いに線対称となるように形成されている。
【００４３】
切り欠き部２０Ｂは、洗面台１０の右側方だけでなく、左側方にも同様に第１の段部２１Ａ′と、第２の段部２２Ａ′と、第３の段部２３Ａ′、第４の段部２４Ａ′と、第５の段部２５Ａ′と、第６の段部２６Ａ′を有している。第１の段部２１Ａ′と第６の段部２６Ａ′、第２の段部２３Ａ′と第５の段部２５Ａ′、第３の段部２３Ａ′と第４の段部２４Ａ′は、それぞれバックガード１５の後端部と壁面との間の隙間の距離が等しくなるように形成されている。また、第１の段部２１Ａ′（第６の段部２６Ａ′）、第２の段部２３Ａ′（第５の段部２５Ａ′）、第３の段部２３Ａ′（第４の段部２４Ａ′）は、互いにバックガード１５の後端部と壁面との間の隙間の距離が異なっている。第１の段部２１（第６の段部２６Ａ′）におけるバックガード１５の後端部と壁面との間の隙間の距離、第２の段部２３（第５の段部２５Ａ′）におけるバックガード１５の後端部と壁面との間の隙間の距離、第３の段部２５（第４の段部２４Ａ′）におけるバックガード１５の後端部と壁面との間の隙間の距離の順に、バックガード１５の後端部と壁面との間の隙間の距離が長くなっている。第１の段部２１Ａ′、第２の段部２３Ａ′、及び第３の段部２３Ａ′は、バックガード１５の左右方向における一方の端部側（右側方）且つ後方側に向かうにつれてバックガード１５の後端部と壁面との間の隙間の距離が短くなっている。第４の段部２４Ａ′、第５の段部２５Ａ′、及び第６の段部２６Ａ′は、バックガード１５の左右方向における一方の端部側（左側方）且つ後方側に向かうにつれてバックガード１５の後端部と壁面との間の隙間の距離が短くなっている。すなわち、切り欠き部２０Ａ′は、第１の段部２１Ａ′、第２の段部２２Ａ′、および第３の段部２３Ａ′で構成される第１の多段形状部と、第４の段部２４Ａ′、第５の段部２５Ａ′、及び第６の段部２６Ａ′で構成される第２の多段形状部と、を有し、互いに線対称となるように形成されている。
【００４４】
上述の洗面台１０Ａの場合、パネル本体の差込部も２つ形成されることとなる。２つの差込部がそれぞれ切り欠き部２０Ａ、２０′に差し込まれることによりパネル本体の前後方向および左右方向の位置決めが行われる。
なお、本実施形態では、第１の多段形状部と第２の多段形状部は、それぞれ２つずつ形成されているが、それに限らない。例えば、切り欠き部２０Ａは、第１の段部２１Ａ′、第２の段部２２Ａ′、および第３の段部２３Ａ′のみを有し、切り欠き部２０Ａ′は、第４の段部２４Ａ′、第５の段部２５Ａ′、及び第６の段部２６Ａ′のみを有していてもよい。複数の切り欠き部２０Ａ、２０Ａ′の少なくとも一部が第１の多段形状部と第２の多段形状部を形成していればよい。
【００４５】
図１５及び図１６に示すように、第１の段部２１Ａは、上面視において、バックガード１５Ａが固定される位置にある状態で、壁面と平行となるように形成される平行部２１Ａａと、平行部２１Ａａと連続的に形成され且つ前後方向において平行部２１Ａａとは重ならないように後方に向かって傾斜する傾斜部２１Ａｂと、を有する。第２の段部２２Ａも第１の段部２１Ａと同様に、平行部２２Ａａと、傾斜部２２Ａｂを有し、第３の段部２３Ａも同様に、平行部２３Ａａと、傾斜部２３Ａｂと、を有する。また、第４の段部２４Ａも同様に、平行部２４Ａａと、傾斜部２４Ａｂと、を有し、第５の段部２５Ａも同様に、平行部２５Ａａと、傾斜部２５Ａｂと、を有する。さらに、第６の段部２６Ａも同様に、平行部２６Ａａと、傾斜部２６Ａｂと、を有する。傾斜部２２Ａａは、平行部２２Ａｂと連続していない方の端部が平行部２１Ａｂと連続している。傾斜部２３Ａａは、平行部２３Ａｂと連続していない方の端部が平行部２２Ａｂと連続している。傾斜部２４Ａａは、平行部２４Ａｂと連続していない方の端部が平行部２５Ａｂと連続している。傾斜部２５Ａａは、平行部２５Ａｂと連続していない方の端部が平行部２６Ａｂと連続している。平行部２３Ａｂと平行部２３Ａｂは、同一線上に位置している。
なお、傾斜部２１Ａｂ、２２Ａｂ、２３Ａｂ、２４Ａｂ、２５Ａｂ、２６Ａｂは、直線形状ではなく、湾曲形状であってもよい。また、切り欠き部２０Ａ′も同様の構成であるため、説明を省略する。
【００４６】
次に、本発明の第２実施形態による洗面化粧台の作用を説明する。
本実施形態による洗面化粧台によれば、切り欠き部は、複数設けられており、複数の切り欠き部２０Ａ、２０Ａ′の少なくとも一部が、第１の多段形状部と、第２の多段形状部と、有するため、複数の切り欠き部を設けた場合であっても、パネル本体の取り付けの手間をさらに軽減しながらも、１つの洗面台により複数の材質のパネルに対応することができる
【００４７】
前述の実施の形態に関して、当業者が適宜設計変更を加えたものも、本発明の特徴を備えている限り、本発明の範囲に包含される。例えば、切り欠き部２０の切り欠き部２０やパネル本体３０などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００４８】
１、１Ａ、１Ｂ 洗面化粧台、  １０、１０Ａ 洗面台、  １１ キャビネット本体、  １３ 洗面ボウル部、  １５ バックガード、  ２０ 切り欠き部、  ２１ 第１の段部、  ２２ 第２の段部、  ２３ 第３の段部、  ２４Ａ、２４Ａ′ 第４の段部、  ２５Ａ、２５Ａ′ 第５の段部、  ２６Ａ、２６Ａ′ 第６の段部、  ３０、３０Ａ、３０Ｂ パネル本体、  ４０ ミラーキャビネット
【図１】
2018198736.tif 000003
【図２】
2018198736.tif 000004
【図３】
2018198736.tif 000005
【図４】
2018198736.tif 000006
【図５】
2018198736.tif 000007
【図６】
2018198736.tif 000008
【図７】
2018198736.tif 000009
【図８】
2018198736.tif 000010
【図９】
2018198736.tif 000011
【図１０】
2018198736.tif 000012
【図１１】
2018198736.tif 000013
【図１２】
2018198736.tif 000014
【図１３】
2018198736.tif 000015
【図１４】
2018198736.tif 000016
【図１５】
2018198736.tif 000017
【図１６】
2018198736.tif 000018